(57)【要約】本発明は、ヒートパイプを内蔵する防熱部材を利用した乾式床暖房施工工法において、スラブ床の上に水平を合わせた複数個の床離隔支持台の上に形成され、床板上に電源を印加して防熱するヒータが付着されているヒートパイプを内蔵する防熱部材を複数個配置したもので、前記防熱部材と壁体との間の空いた空間にスチロフォームを充填し、上部は、平らな合板の上に熱伝導を向上させるためにアルミニウムや銅板等の金属材質を付着した熱拡散板を接着して、現場で組み立て、取り付けが可能な乾式暖房工法を提供する。また、本発明は、スラブの上に床離隔支持台、床板、断熱材、防熱部材、スチロフォーム、熱拡散板を順次に組み立てることができる施工工法であって、工期が短縮され、建物自体の荷重が軽くなり、各部屋を別々に制御できる局部暖房制御方式が可能であり、また、有害物質を含まないのでシックハウス症候群が現れず、遠赤外線が放射される、体に良い非常に有用な発明である。【選択図】図１
2009516096.tif 000002
【特許請求の範囲】
【請求項１】
スラブ床の上に組み立て式のオンドル暖房を設置する建築工法において、
スラブ（１０１）の上に水平調節用支持台（１０２）と床離隔支持台（１０３）を設置した後、その上に下部床板（１０４）を設けて平らな床面を形成する段階と、
前記下部床板（１０４）の上に断熱材（１０５）を設置する段階と、
前記断熱材（１０５）が設置された平らな面の上にヒートパイプを内蔵する防熱部材（１０８）を複数個配置する段階と、
前記防熱部材（１０８）の端部に突出したリード線と、壁面に付着された温度コントローラ（１１２）から突出した電線とを連結する段階と、
暖房が不要な区域は、支持台（１０７）を配置して下部床板（１０４）に付着する段階と、
壁体と前記防熱部材（１０８）と支持台（１０７）との間の空いた空間にスチロフォーム（１０６）を充填した後、平らな面にする段階と
前記防熱部材（１０８）、支持台（１０７）、スチロフォーム（１０６）で形成された平らな面の上に熱拡散板（１１３）を設けて付着させる段階と、
前記熱拡散板（１１３）の上に上面仕上げ材（１１４）を設置する段階と、を含むことを特徴とするヒートパイプを内蔵する防熱部材を利用した乾式床暖房施工工法。
【請求項２】
熱拡散板（１１３）の上面の材質は、木材、金属、セラミックまたは炭素のうち一つであることを特徴とする請求項１に記載のヒートパイプを内蔵する防熱部材を利用した乾式床暖房施工工法。
【発明の詳細な説明】
【技術分野】
【０００１】
本発明は、建築分野における床暖房施工に関するものである。
【背景技術】
【０００２】
従来の床暖房施工は、ボイラ室でエクセルパイプを配管して床に埋めて、モルタルで打設した湿式施工や、電気パネルを床に設置してその上にオンドルのラミネートプレートを覆う方法がある。
【発明の開示】
【発明が解決しようとする課題】
【０００３】
従来の方法で施工する場合、次のような問題点がある。
【０００４】
第１に、湿式施工の問題点は次の通りである。
【０００５】
湿式施工は、スラブ床の上に断熱板を入れ、その上に温水パイプを配管した後、蓄熱材で覆い、その上にコンクリート及びセメントを養生したものであって、蓄熱性能が良好で堅固であるという長所がある一方、工事期間が長期化し、施工現場では熟練した技能工が必要である。また、温水管の水漏れ時は、打設されたコンクーリトモルタル層を破壊しなければならないという短点があった。さらに、現場で施工するため人件費が高くなり、床の水平を取ることが簡単ではなく、モルタルが完全に固まるまでの養生時間が長く、セメント毒性が体に悪い影響を与える。特に、養生期間が長くて大規模の工事の場合、工事期間が長くなって全体の費用が増加し、ボイラ室の設置が不可避であり、各部屋を別々に暖房するためには分配管を設置しなければならない。
【０００６】
第２に、電気パネルを床に施工する場合、電磁波が非常に多く発生して体に悪く、電気パネルの間の空間に差があって隙間が生じたり、水平が取れておらず、床が上下に動くという短点がある。さらに、蓄熱不良のため引き続き稼動することになれば、過度な電気使用のため電気料金が高くなる。
【０００７】
本発明の発明人が出願した特許文献１には、分解組み立てが容易なヒートパイプ暖房パネル及びその製造方法が開示されているが、これを建築現場に適用する場合、非常に多い資材と人件費がかかるので適切でないので、前記出願のアイデアを応用した建築施工工法に改善して提供する。
【特許文献１】韓国特許出願１０-２００５-００９５７７５号
【課題を解決するための手段】
【０００８】
そこで、本発明は、上記従来の問題点に鑑みてなされたものであって、スラブ床の上に水平に下部床板を形成する段階と、電磁波が発生しないヒートパイプを内蔵する防熱部材、防熱部材と防熱部材との間、支持台と支持台との間、支持台と防熱部材と壁体との間の空いた空間を充填するためのスチロフォーム、前記防熱部材、支持台、スチロフォームの上部の上に熱拡散板を設ける段階と、上部を仕上げ材で仕上げる段階とを含む工法であって、故障時にも簡単に修理することができる工法である。
【０００９】
また、体に良い遠赤外線が大量に放射される黄土を床暖房に使用しており、電磁波が全く無いのに電気制御も可能で各部屋の温度を別々に調節することができる。さらに、床自体の軽量化を図ることができ、建物全体の構造体が軽くなり、層間騒音が低減され、各層高間の高さを一層高くすることにより、空間の安定感を高めることができる建築施工工法を提供する。
【発明の効果】
【００１０】
本発明は、建築スラブの上に若干の空気層を有して浮かんでいる床構造体であって、下部の床板を水平面にした後、電熱ヒータが装着されたヒートパイプを利用した防熱部材を複数個配置し、空いた空間にスチロフォームを充填して水平にして熱拡散板を配設し、床面を仕上げ処理する。その後、前記防熱部材に電気を印加すれば床暖房が完成する工法であって、建築現場に適用すれば以下のような効果がある。
【００１１】
１．暖房費用節減効果−電気方式でヒータを使用する場合、速く暖かくなり、暖まった床体の蓄熱性が良いので、初期に電力消耗が大きいが、設定温度まで上昇すれば電気の使用がなくて暖房費用を節減することができる。特に、韓国電力公社で提供する深夜電気を利用すれば、毎月の暖房費用を大きく節約することができる。
２．ボイラ施設、ボイラ室が不要である。
３．局部暖房が可能である。
４．分解組み立てが容易であり、修理が非常に簡単である。
５．施工期間が非常に短くて工期が短縮される。
６．建物自体の荷重が軽くなる効果がある。
７．騒音、振動に対する優れた特性を有する。
８．体に良い遠赤外線輻射暖房方式である。
９．設置後、直ぐに使用することができる乾式工法である。
１０．現行建築法により容積率を２０％以上増設できるという利点がある。
１１．層高が高くなって空間的な安定感を与える。
【発明を実施するための最良の形態】
【００１２】
上記目的を達成するためになされた本発明を添付図を参照してより詳細に説明する。
【００１３】
まず、本発明の設置する前に床上に水平面を形成する方法は次の通りである。一般に、建築物を施工するとき床の水平を取る方法は、セルフレベリングのような水平モルタルを打設して施工する方法を使用するが費用が高い。そこで費用を節減しかつ正確に水平を取るために、図１に示したように、スラブ１０１上に水平調節用支持台１０２を固定し後、前記水平調節用支持台１０２上に床離隔支持台１０３を設置する。ここで、水平調節用支持台１０２を床に固定する方法は、水平調節用支持台１０２の低面にはセメント用ボンドを塗った後、スラブ１０１に付着させ、上部からエアガンでピースを発射して固定させる。
【００１４】
また、他の方法としては、図５に示したように、スラブ１０１にコンクリートを打設する際に、床離隔支持台１０３を一部埋めてから施工すれば、一定期間が経過するとコンクリートが硬化してスラブに床離隔支持台１０３が固定される。このとき、床離隔支持台１０３の水平を取る基準は、レーザー光源を利用したポインタによる方法が好ましく、その材質として木材を使用することが好ましい。
【００１５】
前記スラブ１０１の上に複数個配置された床離隔支持台１０３上に下部床板１０４を複数個配列してピース及び接着剤で固定する。下部床板１０４は、前記スラブ１０１上と所定の空間を有して、空気層が形成される。このとき形成された空気層は、下部床板１０４から伝わる振動及び騒音を低減させる機能を有する。さらに、下部床板１０４から発生する熱が空気を暖め、暖まった空気が再び上昇する作用により断熱効果が優れている。
【００１６】
前記下部床板１０４上に断熱材１０５を付着し、その上に複数個の防熱部材１０８を配設するが、熱源が必要な部分は所定の間隔で配置し、家具等が置かれる空間は少なく配置したり、防熱部材１０８の代わりに支持台１０７を配置して防熱部材を節約する。このように配置された防熱部材１０８と支持台１０７と壁体１３０との間の空いた空間にスチロフォーム１０６を充填して、防熱部材１０８の間隔維持及び断熱、熱拡散板１１３が垂れることを防止し、上部からの振動及び騒音を低減させる機能をする。ここで、防熱部材１０８と下部床板１０４の固定は、防熱部材の床面に接着力の強い両面テープを付着して固定させる。
【００１７】
前記防熱部材１０８は、蓄熱材１２２の充填空間を有する四角形状の金属圧出管からなり、前記蓄熱材１２２の中間にはヒートパイプ１２３を内蔵している。ここで、蓄熱材１２２には種々の材料を使用できるが、熱の蓄積が可能で、遠赤外線を放射する黄土粉末を使用することが好ましい。
【００１８】
前記ヒートパイプ１２３の一側には、ヒータ１２１が結合されてヒートパイプ１２３に熱を供給するようになっており、ヒータによって加熱されたヒートパイプ１２３は、内蔵の熱媒体が液体から気体に相変異が発生して、ヒートパイプ１２３の全体に熱を伝達し、その結果、蓄熱材１２２を加熱するようになる。上記のヒータは、ＰＴＣタイプのヒータを使用して、所定の温度で制御可能で安全である。すなわち、一般のセラミックヒータが有する特性である、高温やオーバーヒート（overheat）のような不安な要素を除去することによって安心して使用することができる。
【００１９】
前記防熱部材１０８にコントローラ１１２から出力された電源リード線１０９に電気を印加すれば、ヒータ１２１で発熱する熱源でヒートパイプ１２３を加熱し、蓄熱材１２２を適正温度まで上昇させる。この場合、前記の防熱部材１０８の近くに付着されている温度センサー１１０によりコントローラ１１２が電源を制御するようになる。
【００２０】
この場合、コントローラ１１２は壁体に付着することが好ましく、コントローラ１１２に連結されている入力電源線１１１に電源を印加する。
【００２１】
図３は、上記のような段階により平面になっている状態を示す。防熱部材１０８と支持台１０７の間の空いた空間に圧縮スチロフォームを充填して平面にした後、上部に熱拡散板を配設する。ここで、熱拡散板は、ガルバリウム等のような鋼板や合板の上に金属薄膜板を付着したものが良く、合板の上に炭素シート（カーボンシート）を付着して使用することも可能である。前記の熱拡散板を防熱部材と接着させる方法としては、接着性の強い両面テープで固定し、熱拡散板と支持台との付着方法としては、接着剤を使用する方法がある。特に、カーボンシトは遠赤外線が多量放射され、熱伝導に優れている。さらに、熱拡散板の間の隙間が広がらないように接着テープで固定する。
【００２２】
なお、熱の拡散を広くするためには、上記のようなカーボンシート以外にもセラミック類の物質を塗布またはコーティングした遠赤外放射シートを使用することが良い。
【００２３】
本発明のヒートパイプを内蔵する防熱部材を利用した乾式床暖房施工工法１００を完成するためには、前記熱拡散板１１３の上に床板仕上げ１１４を行う必要がある。前記床板仕上げ１１４には、布地や、ペーパー、木板、石板、黄土モルタル、銀ナノ処理されたパッド、ラミネートプレート等を使用することができる。
【産業上の利用可能性】
【００２４】
以上のように、本発明の乾式床暖房施工工法は、体に良い遠赤外線が大量に放射される黄土を床暖房に使用しており、電磁波が全く無いのに電気制御も可能で各部屋の温度を別々に調節することができる。さらに、床自体の軽量化を図ることができ、建物全体の構造体が軽くなり、層間騒音が低減され、各層高間の高さを一層高くすることにより、空間の安定感を提供することができる。
【図面の簡単な説明】
【００２５】
【図１】本発明による乾式床暖房施工工法を施工するための組み立て構成を示す分解組立斜視図である。
【図２】本発明により施工された床の切開斜視図である。
【図３】本発明により施工された床のうち、上部熱拡散板及び仕上げ材を覆う前の状態を示す斜視図である。
【図４】本発明の中心要素であるヒートパイプを内蔵した防熱部材の断面図である。
【図１】
2009516096.tif 000003
【図２】
2009516096.tif 000004
【図３】
2009516096.tif 000005
【図４】
2009516096.tif 000006
【図５】
2009516096.tif 000007
【国際調査報告】
2009516096.tif 000008
2009516096.tif 000009